(57)【要約】      （修正有）【課題】給弾装置を取り出す外す場合、ＢＢ弾が給弾装置内に残留しているか確認でき、残留するＢＢ弾の誤射を防ぐことのできるトイガンの給弾装置及び該給弾装置を設けたトイガンを提供する。【解決手段】トイガン本体１と該トイガン本体に設ける給弾装置２であって、該給弾装置が該トイガン本体に着脱自在に設けられ、該給弾装置は伝動作用を有する伝動部２１と、該伝動部に連動する弾丸送入部２２とを具える。【選択図】図４
0003184431.tif 000002
【実用新案登録請求の範囲】
【請求項１】
トイガンの給弾装置及び該給弾装置を設けたトイガンにおいて、
該給弾装置がトイガン本体に着脱自在に設けられ、  
該給弾装置は伝動作用を有する伝動部と、該伝動部に連動する弾丸送入部とを具えることを特徴とするトイガンの給弾装置及び該給弾装置を設けたトイガン。
【請求項２】
前記トイガン本体がマガジンを有しない小銃の形態を模したものであって、かつ該トイガン本体内には少なくとも１以上の隔壁によって囲まれた空間である弾丸収納空間が形成され、
該給弾装置内には、弾丸収納空間に通じる弾丸入口と、弾丸入り口に通じる弾丸出口とを形成し、  
該トイガン本体の少なくとも一方の側には、弾丸収納空間に通じる少なくとも一以上の装填口を形成し、該装填口は少なくとも一以上のカバープレーによって遮蔽され、該カバープレートの少なくとも一方の側には、少なくとも一以上の係合部を形成し、
該弾丸送入部は、少なくとも一方の側に少なくとも一以上の装弾部を具え、
さらに該給弾装置は、該弾丸送入部に連動する弾丸位置調整部を含み、該弾丸位置調整部は、少なくとも一方の側に少なくとも一以上の振動部を具え、
該伝動部は少なくとも一以上の弾力手段を具え、伝動部は局部が該トイガン本体から突出し、該伝動部は少なくとも１以上の動力手段を具えることを特徴とする請求項１に記載のトイガンの給弾装置及び該給弾装置を設けたトイガン。
【考案の詳細な説明】
【技術分野】
【０００１】
この考案は、トイガンに関し、特にＢＢ弾を射出するための給弾装置と、該の該給弾装置を設けたトイガンの構造に関する。
【背景技術】
【０００２】
図１に、従来のトイガンの局部断面構造を開示する。図面に開示するように、従来のトイガンは、銃身９１と、嵌着された弾倉９２を具え、かつ弾倉９２内には。ＢＢ弾を収納するチャンバー９２１が内設される。別途弾性部材（図示しない）を設けて、チャンバーに収納された一発以上のＢＢ弾丸を連続して発射する。よって、発射する毎にＢＢ弾を込める必要がない。
【０００３】
但し、従来のトイガンは、装填できるＢＢ弾の数量がかなり少なく、使用する上で装填量の不足を感じる。また、従来のトイガンでは、装填したＢＢ弾を撃ちつくした場合、銃身９１を取り外し、弾倉９２を取り出してチャンバー９２１にＢＢ弾を装填し、さらに問いガンを再度組み立てなければならない。係るＢＢ弾の装填方法は時間がかかり、その操作は使用者にとって面倒である。
【０００４】
また、従来のトイガンは、弾倉９２を取り出す場合、予めＢＢ弾が残留しているか確認することができない。よって、ＢＢ弾を補充するために弾倉９２を取り外す場合、ＢＢ弾が残留していると、予期せず発射される恐れがあり、使用上の安全問題も懸念される。
【考案の概要】
【考案が解決しようとする課題】
【０００５】
この考案は、給弾装置を取り出す外す場合、ＢＢ弾が給弾装置内に残留しているか確認でき、残留するＢＢ弾の誤射を防ぐことのできるトイガンの給弾装置及び該給弾装置を設けたトイガンを提供することを目的とする。
【０００６】
また、この考案は、給弾装置の取り外しが容易で、メンテナンスに便利なトイガンの給弾装置及び該給弾装置を設けたトイガンを提供することを目的とする。
【０００７】
また、この考案は、ＢＢ弾の連射回数を増加させることのできるトイガンの給弾装置及び該給弾装置を設けたトイガンを提供することを目的とする。
【課題を解決するための手段】
【０００８】
そこで。本考案者は従来の技術に見られる欠点に鑑み鋭意研究を重ねたところ、トイガンと、該トイガンに着脱自在に設ける給弾装置であって、該給弾装置が伝動作用を有する伝動部と、該伝動部に連動する弾丸送入部とを具える給弾装置と及び該給弾装置を設けたトイガンによって課題を解決できる点に着眼し、係る知見に基づいて本考案を完成させた。以下この考案について具体的に説明する。
【０００９】
請求項１に記載するトイガンの給弾装置及び該給弾装置を設けたトイガンは、該給弾装置がトイガン本体に着脱自在に設けられ、該給弾装置は伝動作用を有する伝動部と、該伝動部に連動する弾丸送入部とを具える。
【００１０】
請求項２に記載するトイガンの給弾装置及び該給弾装置を設けたトイガンは、請求項１におけるトイガン本体がマガジンを有しない小銃の形態を模したものであって、かつ該トイガン本体内には少なくとも１以上の隔壁によって囲まれた空間である弾丸収納空間が形成され、
該給弾装置内には、弾丸収納空間に通じる弾丸入口と、弾丸入り口に通じる弾丸出口とを形成し、  
該トイガン本体の少なくとも一方の側には、弾丸収納空間に通じる少なくとも一以上の装填口を形成し、該装填口は少なくとも一以上のカバープレーによって遮蔽され、該カバープレートの少なくとも一方の側には、少なくとも一以上の係合部を形成し、
該弾丸送入部は、少なくとも一方の側に少なくとも一以上の装弾部を具え、
さらに該給弾装置は、該弾丸送入部に連動する弾丸位置調整部を含み、該弾丸位置調整部は、少なくとも一方の側に少なくとも一以上の振動部を具え、
該伝動部は少なくとも一以上の弾力手段を具え、伝動部は局部が該トイガン本体から突出し、該伝動部は少なくとも１以上の動力手段を具える。
【考案の効果】
【００１１】
この考案によるトイガンの給弾装置は、給弾装置が着脱自在に設けられることから、
従来の技術に比してトイガンのメンテナスを容易に行うことができ、使用上便利で、かつ高い安全性が得られる。
【００１２】
また、トイガンが弾丸収納空間を具え、給弾装置にＢＢ弾を送る構造を有することから、装填するＢＢ弾の量を増加させることができ、使用上の利便性が得られる。
【００１３】
さらに、この考案によるトイガンは、該弾丸収納空間と給弾装置とを具えることによって、トイガンの外観を真正銃に模すことができる。よって、観賞用としての価値も具え、商品の負荷価値を高めることができるという効果を具える。
【図面の簡単な説明】
【００１４】
【図１】従来のトイガンの局部断面構造を示した説明図である。
【図２Ａ】この考案による給弾装置を設けたトイガンの斜視図である。
【図２Ｂ】この考案による給弾装置を設けたトイガンの側面図である。
【図３】この考案による給弾装置を取り外した状態を示した説明図である。
【図４】この考案による給弾装置を設けたトイガンの局部断面構造を示した説明図である。
【図５】この考案による給弾装置の断面構造を示した説明図である。
【図６】この考案による給弾装置を設けたトイガンを底面側から見た斜視図である。
【図７】この考案による給弾装置を設けたトイガンにＢＢ弾を補充する操作を示した説明図である。
【図８】この考案による給弾装置をトイガンに装着する操作を示した説明図である。
【図９】この考案による給弾装置において手動でエネルギーを蓄積する操作を示した説明図である。
【図１０】この考案による給弾装置のＢＢ弾丸装の動作填を示した説明図である。
【図１１】この考案による給弾装置を取り外す操作を示した説明図である。
【図１２】他の実施の形態による給弾装置の斜視図である。
【考案を実施するための形態】
【００１５】
この考案は、弾倉を取り出す場合、ＢＢ弾が弾倉内に残留しているか確認でき、かつ弾倉の取り外しが容易なトイガンの給弾装置及び該給弾装置を設けたトイガンを提供するものであって、給弾装置をトイガン本体に着脱自在に設け、該給弾装置が伝動作用を有する伝動部と、該伝動部に連動する弾丸送入部とを具える。係る給弾装置とトイガンの構造と特徴を説明するために、具体的な実施例を挙げ、図面を参照して詳述する
【実施例】
【００１６】
２Ａから図６に、この考案によるトイガンの実施の形態を開示する。図面に開示するように、この考案によるトイガンの給弾装置は、トイガンに対して着脱自在に設ける。
【００１７】
この考案による給弾装置を設けたトイガンは、トイガン本体１と、トイガン本体１に対して着脱自在に設ける給弾装置２とを具える。トイガン本体１はマガジンを有しない小銃の形態を模したものである。
【００１８】
トイガン本体１内には少なくとも１以上の弾丸収納空間１１が形成される。弾丸収納空間１１は隔壁１２によって囲まれた空間である。
【００１９】
給弾装置２内には、弾丸収納空間１１に通じる弾丸入口２４と、弾丸入り口２４に通じる弾丸出口２５を形成する。
【００２０】
また、給弾装置２は伝動作用を有する伝動部２１と、
伝動部２１に連動する弾丸送入部２２とを含む。さらに給弾装置は、弾丸送入部２２に連動する弾丸位置調整部２３を含む。弾丸位置調整部２３は、少なくとも一方の側に少なくとも一以上の振動部２３１を具える。
【００２１】
弾丸送入部２２は、少なくとも一方の側に少なくとも一以上の装弾部２２１を具える。
【００２２】
伝動部２１は少なくとも一以上の弾力手段２１１を具える。また、伝動部２１は局部がトイガン本体１から突出する。
【００２３】
トイガン本体１の少なくとも一方の側には、弾丸収納空間１１に通じる少なくとも一以上の装填口１３を形成する。装填口１３は少なくとも一以上のカバープレート１４によって遮蔽される。カバープレート１４の少なくとも一方の側には、少なくとも一以上の係合部１４１を形成する。
【００２４】
また、弾丸収納空間１１と給弾装置２とによってＢＢ弾をトイガン本体１内に収納する。よって、この考案による給弾装置を設けたトイガンは外観が真正銃に近いものとなり、別途外付けのパーツなどを加えることなく、高いリアル性を表現することができる。
【００２５】
以上の構造による給弾装置について、図２Ａから図１１を参考にして、その動作を以下に説明する。
【００２６】
図面によれば、この考案による給弾装置を設けたトイガンを使用する場合は、図７に開示するように装填口１３からＢＢ弾３を補充し、図８に開示するようにカバープレート１４で装着口１３を遮蔽し、係合部１４でカバープレート１４を固定する。係る操作によって、ＢＢ弾３を容易に補充することができる。
【００２７】
射撃に必要なエネルギーを蓄える場合は、図９に開示するように、伝動部２１のトイガン本体１から突出した部分を操作し、伝動部２１を回転させると、弾力手段２１１が回転によって蓄えられたエネルギーを射撃、弾丸装填に供する。
【００２８】
弾力手段２１１は、回転によって蓄えたエネルギーを動力に転換して伝動部２１を作動させる。伝動部２１は動力を弾丸送入部２２に伝え、さらに弾丸送入部２２は動力を弾丸位置調整部２３に伝える。
【００２９】
弾丸収納空間１１内に収納されたＢＢ弾は、引力の作用を受けて、自然に、弾丸入り口２４に至り、給弾装置２に進入する。
【００３０】
弾丸位置調整部２３は、伝動部２１が作動すると回転し、同時に振動部２３１がＢＢ弾に接触してＢＢ弾３を微動させて位置を調整する。ＢＢ弾３を振動させることによってジャムの発生を防ぐことができる。
【００３１】
弾丸送入部２２の装弾部２２１は、図１０に開示するようにＢＢ弾丸３を弾丸出口２５に運び、トイガン本体１による射撃に供する。
【００３２】
図１１に開示するように、射撃を終了した後はカバープレート１４を外して装着口１３から給弾装置２を直接取り出すことができる。よって、この考案による給弾装置はメンテナンス、クリーニングを容易に行うことができるとともに、ＢＢ弾３の残留を回避し、誤射を確実に防ぐことができる。
【００３３】
図１２に他の実施の形態を開示する。図面によれば、着脱自在に設ける給弾装置２ａは、伝動作用を有する伝動部２１ａを具え、かつ伝動部２１ａは少なくとも１以上の動力手段２１２ａを具える。動力手段２１２ａが作動すると伝動部２１ａに動力を供する。
【００３４】
以上はこの考案の好ましい実施の形態であって、この考案の実施の範囲を限定するものではない。よって、当業者の為し得る変更、または修正であって、この考案の精神の下においてなされ、この考案に対して均等の効果を有するものは、いずれもこの考案の実用新案登録請求の範囲に含まれるものとする。
【符号の説明】
【００３５】
１                   トイガン本体
１１          弾丸収納空間
１２          隔壁
１３          装填口
１４          カバープレート
１４１ 係合部
２                   給弾装置
２ａ          給弾装置
２１          伝動部
２１ａ 伝動部
２１１ 弾力手段
２１２ａ動力手段
２２          弾丸送入部
２２１ 装弾部
２３          弾丸位置調整部
２３１ 振動部
２４          弾丸入り口
２５          弾丸出口
３                   ＢＢ弾
９１          銃身
９２          弾倉
９２１ チャンバー
【図１】
0003184431.tif 000003
【図２Ａ】
0003184431.tif 000004
【図２Ｂ】
0003184431.tif 000005
【図３】
0003184431.tif 000006
【図４】
0003184431.tif 000007
【図５】
0003184431.tif 000008
【図６】
0003184431.tif 000009
【図７】
0003184431.tif 000010
【図８】
0003184431.tif 000011
【図９】
0003184431.tif 000012
【図１０】
0003184431.tif 000013
【図１１】
0003184431.tif 000014
【図１２】
0003184431.tif 000015